(57)【要約】【課題】  加筆によって印が付された記録体をも再利用することができ、しかも、装置の大型化を抑えつつ、除去部材や消去手段を不必要に押圧することによる搬送トルクの無駄な上昇や記録体の無駄な摩耗を回避することができるプリンタを提供する。【解決手段】  除去部材たる除去シート４ａを移動させる除去部材移動手段を、消去手段たる消去ヘッド５を移動させる消去移動手段としても機能する兼用移動手段たる消去ヘッド移送装置６として用い、これによって除去シート４ａ及び消去ヘッド５をそれぞれ押圧位置と退避位置との間で移動させるようにした。【選択図】  図２
2005059483.tif 000002
【特許請求の範囲】
【請求項１】
発色反応と消色反応とを可逆的に繰り返す可逆反応物質を含む記録体を搬送するための搬送路と、
該記録体の表面に付着している有色物質を該表面に接触して除去する除去部材と、
これに対応するように配設された除去対向部材と、
該除去部材を該搬送路内の該記録体とともに該除去対向部材に向けて押圧する押圧位置と押圧しない退避位置との間で移動させる除去部材移動手段と、
該記録体に対して該可逆反応物質の消色反応を生起せしめる消色処理を施して該記録体に記録されていた画像を消去する消去手段と、
これに対向するように配設された消去対向部材と、
該消去手段を該搬送路内の該記録体とともに該消去対向部材に向けて押圧する押圧位置と押圧しない退避位置との間で移送させる消去移動手段と、
該除去部材移動手段及び消去移動手段の駆動を制御する移動制御手段と、
該記録体に対して該可逆反応物質の発色反応を生起せしめる発色処理を施して画像を記録する記録手段とを備える画像記録装置において、
上記除去部材移動手段を上記消去移動手段としても機能する兼用移動手段として用い、これによって上記除去部材及び消去手段をそれぞれ上記押圧位置と上記退避位置との間で移動させるようにしたことを特徴とする画像記録装置。
【請求項２】
請求項１の画像記録装置において、
上記搬送路内にて上記有色物質の除去処理及び上記可逆反応物質の消色処理が施される前の記録体を検知する記録体検知手段を設け、該記録体検知手段による検知結果に基づいて上記兼用移動手段の駆動を制御させるように、上記移動制御手段を構成したことを特徴とする画像記録装置。
【請求項３】
請求項１又は２の画像記録装置において、
上記除去部材として、シート状に形成された除去シートを用いるとともに、該除去シートの裏面に押し当てた上記消去手段を移動させることで、該除去シートを該消去手段とともに移動させるようにしたことを特徴とする画像記録装置。
【請求項４】
請求項１又は２の画像記録装置において、
上記除去部材として、シート状に形成された除去シートを用いるとともに、上記消去手段に固定した固定部材を該除去シートの裏面に押し当てながら該消去手段を移動させることで、該除去シートを該消去手段とともに移動させるようにした特徴とする画像記録装置。
【請求項５】
請求項１又は２の画像記録装置において、
上記除去部材として、回転自在に支持される軸部材にロール状に巻き付けられた除去シートを用いるとともに、
該軸部材の回転をロックする回転ロック手段と、該回転ロック手段の駆動を制御する回転ロック制御手段と、該除去シートを巻き取るための巻き取り部材と、該巻き取り部材を回転駆動する巻き取り駆動手段とを設け、
上記兼用移動手段による該除去シート及び上記消去手段の移動に伴って必要になる回転ロックの解除、及び該巻き取り駆動手段による巻き取りに伴って必要になる回転ロックの解除の他は、該軸部材の回転をロックする制御を実施させるように、該回転ロック制御手段を構成したことを特徴とする画像記録装置。
【請求項６】
請求項１又は２の画像記録装置において、
上記除去部材として、回転自在に支持される軸部材にロール状に巻き付けられた除去シートを用いるとともに、
該除去シートを巻き取るための巻き取り部材と、該巻き取り部材を回転駆動する巻き取り駆動手段と、該巻き取り駆動手段の駆動を制御する巻き取り制御手段とを設け、該除去シートと上記記録体とが接触しているときに、該巻き取り駆動手段を回転駆動させる制御を実施させるように、該巻き取り制御手段を構成したことを特徴とする画像記録装置。
【発明の詳細な説明】
【技術分野】
【０００１】
本発明は、次に説明するような複写機、ファクシミリ、プリンタ等の画像記録装置に関するものである。即ち、発色反応と消色反応とを可逆的に繰り返す可逆反応物質を含む記録体に対し、可逆反応物質の発色処理を施して画像を記録したり、消色処理を施して画像を消去したりする画像記録装置である。
【背景技術】
【０００２】
従来、この種の画像記録装置としては、例えば特許文献１に記載のものが知られている。ロイコ染料と、これを発色させる顕色剤とが混合された可逆反応物質を含有するリライタブルペーパー等の記録体に対し、発色処理や消色処理を施して画像記録や画像消去を行うものである。このように可逆反応物質の発色処理を施して画像を記録したり、消色処理を施して画像を消去したりする画像記録装置では、テスト記録に伴う無駄な記録体の廃棄を抑えることができる。具体的には、記録体に画像を記録する目的としては、その画像を長期間保存するための保存用記録の他に、レイアウトや誤字脱字の確認等のために画像を試験的に記録体に記録するテスト記録がある。画像の消去機能を持たず、画像を記録するだけの画像記録装置においては、このテスト記録に用いられた記録体がテスト画像の確認後に不要になって無駄に廃棄されてしまう。一方、画像の消去機能を有する画像記録装置では、テスト記録に用いられた記録体に対し、可逆反応物質の消色によるテスト画像の消去処理を施した上で、新たな画像の記録処理を施して、その記録体を再利用することができる。よって、無駄な記録体の廃棄の削減に貢献することができる。
【０００３】
しかしながら、上述のテスト記録がなされた記録体は、誤字脱字があった場合などに、修正の必要な箇所に赤ペン等による印を手作業によって加筆されることが多く、この印については上述の消色処理によって消去することができない。このため、画像を消去する消去手段を備える画像記録装置をもってしても、印が加筆された記録体を再利用することはできなかった。
【０００４】
そこで、同特許文献１に記載の画像記録装置においては、記録体に対して可逆反応物質の消去処理を施す消去手段とは別に、加筆された印を除去するための除去部材を設けている。この除去部材は織布等からなり、加圧ローラ等の除去対向部材に向けて押圧されて除去ニップを形成している。そして、この除去ニップに挟み込んだ記録体に接触して、その加筆面に付着しているインク等の有色物質を除去する。かかる構成によれば、記録体に対し、加筆によって付着した有色物質の除去処理と、可逆反応物質の発色によって記録されていた画像の消色処理とを施すことで、インク等によって印が加筆された記録体をも再利用することができる。
【０００５】
更に、同画像記録装置においては、上述の除去部材を記録体に向けて押圧する押圧位置と、押圧しない退避位置との間で移動させる除去部材移動手段を設けている。かかる構成では、加筆がなされていない記録体を用いる場合に、除去部材を押圧位置から退避させることで、除去部材を記録体に向けて不必要に押圧することによる搬送トルクの無駄な上昇を回避することができる。また、不必要な除去処理を行うことによる記録体の無駄な摩耗を回避することもできる。
【０００６】
一方、特許文献２には、可逆反応物質の消色によって画像を消去する画像記録装置において、消去手段を記録体に向けて押圧する押圧位置と、押圧しない退避位置との間で移動させる消去移動手段を設けたものが記載されている。かかる構成では、印字がなされていない新品の記録体を用いる場合に、消去手段を押圧位置から退避させることで、消去手段を記録体に向けて不必要に押圧することによる搬送トルクの無駄な上昇を回避することができる。
【０００７】
【特許文献１】特開２００２−５２７４８号公報
【特許文献２】特開平１１−２６８４１９号公報
【発明の開示】
【発明が解決しようとする課題】
【０００８】
上記特許文献１の画像記録装置に上記特許文献２に記載の消去移動手段を設ければ、次のことが可能になる。即ち、除去部材を不必要に押圧することによる搬送トルクの無駄な上昇に加えて、消去手段を不必要に押圧することによる搬送トルクの無駄な上昇をも抑えることが可能になる。しかしながら、かかる構成では、除去移動手段と消去移動手段との両方を設けることで装置を大型化してしまう。
【０００９】
本発明は、以上の背景に鑑みなされたものであり、その目的とするところは、次のような画像記録装置を提供することである。即ち、加筆によって印が付された記録体をも再利用することができ、しかも、装置の大型化を抑えつつ、除去部材や消去手段を不必要に押圧することによる搬送トルクの無駄な上昇や記録体の無駄な摩耗を回避し得る画像記録装置である。
【課題を解決するための手段】
【００１０】
上記目的を達成するために、請求項１の発明は、発色反応と消色反応とを可逆的に繰り返す可逆反応物質を含む記録体を搬送するための搬送路と、該記録体の表面に付着している有色物質を該表面に接触して除去する除去部材と、これに対応するように配設された除去対向部材と、該除去部材を該搬送路内の該記録体とともに該除去対向部材に向けて押圧する押圧位置と押圧しない退避位置との間で移動させる除去部材移動手段と、該記録体に対して該可逆反応物質の消色反応を生起せしめる消色処理を施して該記録体に記録されていた画像を消去する消去手段と、これに対向するように配設された消去対向部材と、該消去手段を該搬送路内の該記録体とともに該消去対向部材に向けて押圧する押圧位置と押圧しない退避位置との間で移送させる消去移動手段と、該除去部材移動手段及び消去移動手段の駆動を制御する移動制御手段と、該記録体に対して該可逆反応物質の発色反応を生起せしめる発色処理を施して画像を記録する記録手段とを備える画像記録装置において、上記除去部材移動手段を上記消去移動手段としても機能する兼用移動手段として用い、これによって上記除去部材及び消去手段をそれぞれ上記押圧位置と上記退避位置との間で移動させるようにしたことを特徴とするものである。
また、請求項２の発明は、請求項１の画像記録消去装置において、請求項１の画像記録装置において、上記搬送路内にて上記有色物質の除去処理及び上記可逆反応物質の消色処理が施される前の記録体を検知する記録体検知手段を設け、該記録体検知手段による検知結果に基づいて上記兼用移動手段の駆動を制御させるように、上記移動制御手段を構成したことを特徴とするものである。
また、請求項３の発明は、請求項１又は２の画像記録装置において、上記除去部材として、シート状に形成された除去シートを用いるとともに、該除去シートの裏面に押し当てた上記消去手段を移動させることで、該除去シートを該消去手段とともに移動させるようにしたことを特徴とするものである。
また、請求項４の発明は、請求項１又は２の画像記録装置において、上記除去部材として、シート状に形成された除去シートを用いるとともに、上記消去手段に固定した固定部材を該除去シートの裏面に押し当てながら該消去手段を移動させることで、該除去シートを該消去手段とともに移動させるようにした特徴とするものである。
また、請求項５の発明は、請求項１又は２の画像記録装置において、上記除去部材として、回転自在に支持される軸部材にロール状に巻き付けられた除去シートを用いるとともに、該軸部材の回転をロックする回転ロック手段と、該回転ロック手段の駆動を制御する回転ロック制御手段と、該除去シートを巻き取るための巻き取り部材と、該巻き取り部材を回転駆動する巻き取り駆動手段とを設け、上記兼用移動手段による該除去シート及び上記消去手段の移動に伴って必要になる回転ロックの解除、及び該巻き取り駆動手段による巻き取りに伴って必要になる回転ロックの解除の他は、該軸部材の回転をロックする制御を実施させるように、該回転ロック制御手段を構成したことを特徴とするものである。
また、請求項６の発明は、請求項１又は２の画像記録装置において、上記除去部材として、回転自在に支持される軸部材にロール状に巻き付けられた除去シートを用いるとともに、該除去シートを巻き取るための巻き取り部材と、該巻き取り部材を回転駆動する巻き取り駆動手段と、該巻き取り駆動手段の駆動を制御する巻き取り制御手段とを設け、該除去シートと上記記録体とが接触しているときに、該巻き取り駆動手段を回転駆動させる制御を実施させるように、該巻き取り制御手段を構成したことを特徴とするものである。
【発明の効果】
【００１１】
これらの画像記録装置においては、可逆反応物質の発色によって記録体に記録された画像を消去手段によって消去することに加えて、記録体の加筆面に付着している有色物質を除去部材によって除去することで、加筆によって印が付された記録体をも再利用することができる。
また、上記除去部材及び消去手段をそれぞれ１つの兼用移動手段によって移動させるようにしたことで、除去部材移動手段と消去移動手段とを別々に設ける場合に比べて装置の大型化を抑えつつ、除去部材や消去手段を不必要に押圧することによる搬送トルクの無駄な上昇や記録体の無駄な摩耗を回避することができる。
【発明を実施するための最良の形態】
【００１２】
以下、本発明を適用した画像記録装置の一実施形態として、サーマルヘッド記録方式のプリンタ（以下、単にプリンタという）について説明する。
まず、本プリンタの基本的な構成について説明する。図１は、本プリンタに用いられる記録体たるリライタブルペーパーを示す断面図である。このリライタブルペーパー（以下、Ｒｗ紙という）５０は、紙、プラスチック、合成紙等の材料からなる基層５０ａの上に、可逆反応層５０ｂ、透明保護層５０ｃが順次被覆された構造になっている。一番上の透明保護層５０ｃ側が加筆記録のなされる記録面側となる。
【００１３】
上記可逆反応層５０ｂには、ロイコ染料と顕色剤とを含む可逆反応物質がバインダー樹脂中に分散せしめられた材料が用いられている。ロイコ染料としては、フタリド系化合物、アザフタリド系化合物、フルオラン系化合物、フェノチアジン系化合物、ロイコオーラミン系化合物などの公知の染料前駆体を使用することができる。また、顕色剤の材料には、分子内にロイコ染料を発色させる顕色能を発揮するフェノール性水酸基、カルボン酸基、リン酸基などと、分子間の凝集力を制御する長鎖炭化水素基などが連結した構造をもつ化合物を用いることができる。
【００１４】
上記透明保護層５０ｃは、上記可逆反応層５０ｂの劣化を抑えたり、紙搬送性や表面クリーニング性を向上させたりする役割を担っている。その材料としては、樹脂やワックス状物質などを用いることができる。
【００１５】
かかる構成のＲｗ紙５０は、記録温度（例えば１８０℃）まで加熱された箇所の可逆反応層５０ｂにて、顕色剤がロイコ染料に結合してそれを発色させる。そして、冷却されるとロイコ染料に結合したまま固定されて、ロイコ染料の発色状態を維持させる。よって、ロイコ染料の発色によって記録された画像は、Ｒｗ紙５０が室温に冷却されても、消失することなくその濃度を維持することができる。一方、ロイコ染料の発色によって画像が記録されたＲｗ紙５０は、上述の記録温度よりも低い消去温度（例えば１２０〜１６０℃）に加熱されると、可逆反応層５０ｂ中の顕色剤が結晶化等を引き起こしてロイコ染料から分離する。この分離により、ロイコ染料が消色して画像が消去される。このようにして、ロイコ染料と顕色剤とを含む可逆反応物質は、発色反応と消色反応とを可逆的に繰り返して、画像を出現させたり消失させたりすることができる。
【００１６】
図２は、本実施形態に係るプリンタを示す概略構成図である。同図において、このプリンタは、給紙手段たる給紙カセット１、給紙検知手段２、消去上流搬送ローラ対３、除去ユニット４、消去手段たる消去ヘッド５、消去ヘッド移動装置６、除去兼消去加圧ローラ７、記録上流搬送ローラ対８等を備えている。また、記録手段たるサーマルヘッド９、サーマルヘッド移動装置１０、記録加圧ローラ１１、排紙ローラ対１２、排紙トレイ１３なども備えている。
【００１７】
上記給紙カセット１は、プリンタ本体に対して着脱可能に構成され、カセット内部にＲｗ５０紙を複数枚重ねた紙束の状態で収容しており、一番上のＲｗ紙５０に給紙ローラ１ａを当接させている。そして、所定のタイミングで給紙ローラ１ａを図中時計回りに回転させることで、その一番上のＲｗ紙５０を外部に送り出す。
【００１８】
上記消去上流搬送ローラ対３は、互いに当接して搬送ニップを形成しながら、ニップ部でそれぞれ同方向に表面移動するように回転駆動されるローラ対から構成され、給紙カセット１の図中左側方に位置している。そして、給紙カセット１から送り出されたＲｗ紙５０を、搬送ニップに挟み込んで図中右側から左側に向けて搬送する。
【００１９】
上記給紙検知手段２は、給紙カセット１の給紙ローラ１ａと、消去上流搬送ローラ対３の図中上側のローラとの間に配設されている。そして、給紙カセット１から消去上流搬送ローラ対３に向けて搬送されている途中のＲｗ紙５０を検知して、検知信号を図示しない制御部に送る。図示の例では、搬送途中のＲｗ紙５０の先端に引っ掛かったトグルレバー２ａの傾動によってＲｗ紙５０を検知するトグルスイッチ方式のものを示したが、透過型光学センサ方式など、他の方式のものを用いてもよい。
【００２０】
上記消去上流搬送ローラ対３の図中左側方には、除去ユニット４、消去ヘッド５、消去ヘッド移動装置６、除去兼消去加圧ローラ７などが配設されている。消去上流搬送ローラ対３によって搬送されるＲｗ紙５０は、除去ユニット４と除去兼消去加圧ローラ７との間に形成される後述の除去兼消去ニップに送られる。除去ユニット４は、軸部材４ｂを回転自在に支持する図示しない支持手段や、軸部材４ｂにロール状に巻き付けられた除去部材たる除去シート４ａなどを有している。また、軸部材４ｂに膜付けられた除去シート４ａを先端側から巻き取るように図中反時計回りに回転駆動可能な巻き取り部材たる巻き取りローラ４ｃも有している。そして、巻き取りローラ４ｃによって軸部材４ｂから引き出した除去シート４ａを、消去上流搬送ローラ対１２の加筆面たる透明保護層面に接触させて、透明保護層面への加筆によって付着したインク等の有色物質を除去する。この除去により、Ｒｗ紙５０の透明保護層面に付された印が除去される。除去シート４ａの材料としては、表面に微細凹部を有する繊維の織布、編布、不織布などからなる研磨布を用いることができる。また、パルプ繊維や化学繊維からなる織布でもよい。また、表面に微細凹凸を有する多孔質高分子シート（多孔質ポリオレフィンシート、多孔質ポリアミドシート、多孔質ポリエステルシート、多孔質フッ素樹脂シート等）でもよい。
【００２１】
上記消去ヘッド５は、図示しない発熱手段を有しており、後述の除去兼消去ニップにて、消去上流搬送ローラ対１２から送られてくるＲｗ紙５０を、後述のサーマルヘッド９による記録加熱温度よりも低い温度で加熱する。この加熱により、Ｒｗ紙５０の可逆反応層（５０ｂ）の顕色剤がロイコ染料から分離して、それまで発色していたロイコ染料を消色せしめる。そして、可逆反応層（５０ｂ）に記録されていた画像を消去する。なお、消去ヘッド移動装置６や、除去兼消去加圧ローラ７の役割については、後述する。
【００２２】
上記記録上流搬送ローラ対８は、互いに当接して搬送ニップを形成しながら、ニップ部でそれぞれ同方向に表面移動するように回転駆動されるローラ対から構成されている。透明保護層（５０ｃ）面の印を構成する有色物質が除去ユニット４によって除去され、且つ、可逆反応層（５０ａ）の記録画像が消去ヘッド５によって消去されたＲｗ紙５０は、記録上流搬送ローラ対８の搬送ニップに挟まれる。そして、図中右側から左側に向けて引き続き搬送される。
【００２３】
記録上流搬送ローラ対８の図中左側方には、サーマルヘッド移動装置１０によって上下移動せしめられる上記サーマルヘッド９や、記録加圧ローラ１１が配設されている。サーマルヘッド９は、公知の技術によってＲｗ紙５０の画像対応領域を局所的に発色温度（例えば１８０℃）以上に加熱することで、可逆反応層（５０ｂ）の可逆反応物質を発色せしめて画像を記録するものである。サーマルヘッド移動装置１０は、サーマルヘッド９を図中上下方向に移動させて、その下方に配設されている記録加圧ローラ１１に圧接せしめたり、記録加圧ローラ１１から引き離したりする。記録上流搬送ローラ対８によって搬送されるＲｗ紙５０は、サーマルヘッド移動装置１０によって図中下方に移動せしめられたサーマルヘッド９と、記録加圧ローラ１１との接触によって形成される記録ニップに挟まれる。そして、ここで画像が記録されながら、排紙ローラ対１２に向けて送られる。
【００２４】
上記排紙ローラ対１２は、互いに当接して排紙ニップを形成しながら、ニップ部でそれぞれ同方向に表面移動するように回転駆動されるローラ対から構成されている。そして、上記記録ニップから送り出されたＲｗ紙５０を、排紙ニップに挟み込んで機外へと排出する。排出されたＲｗ紙５０は、プリンタ筺体の側板に設けられた排紙トレイ１３上にスタックされる。
【００２５】
本プリンタの内部には、以上のような紙搬送を可能にする搬送路Ｐが形成されている。給紙カセット１内→給紙検知手段２の下方→消去上流搬送ローラ対３の搬送ニップ→除去兼消去ニップ→記録上流搬送ローラ対８の搬送ニップ→記録ニップ→排紙ニップという経路を辿る通路である。
【００２６】
次に、本プリンタの特徴的な構成について説明する。
上記除去ユニット４の除去シート４ａにおける軸部材４ｂからの引き出し部分は、その後端側が、巻き取りローラ４ｃと軸部材４ｂとの間で張架されている。消去ヘッド５は、この除去シート４ａの張架部分にテンションをかけるように、引き出し部分の裏面に当接している。また、消去ヘッド移動装置６は、本体に対して伸縮自在に設けられた伸縮アームを有しており、この伸縮アームの先端に消去ヘッド５が固定されている。図示しない制御手段の制御によって消去ヘッド移動装置６がその伸縮アームを延ばすように駆動されると、消去ヘッド５が除去シート４ａの張架部分を押し下げて、下方の除去兼消去加圧ローラ７に当接させる。これにより、除去シート４ａと除去兼消去加圧ローラ７とを所定の長さ（紙搬送方向の寸法）で当接させた除去兼消去ニップが形成されるとともに、除去シート４ａ及び消去ヘッド５が除去兼消去加圧ローラ７に向けて押圧される。このようにして除去シート４ａ及び消去ヘッド５を移動させる消去ヘッド移動装置６は、除去部材移動手段と消去移動手段とを兼ねる兼用移動手段として機能している。なお、除去兼消去加圧ローラ７に向けて押圧される消去ヘッド５は、除去シート４ａを介してＲｗ紙５０を加熱して、画像を消去する。
【００２７】
一方、図示しない制御部の制御によって消去ヘッド移動装置６がその伸縮アームを縮めるように駆動されると、消去ヘッド５が除去兼消去ローラ７から離れるように図中上方に移動する。この移動により、除去シート４ａ及び消去ヘッド５が除去兼消去加圧ローラ７に向けて押圧されなくなる。
【００２８】
以上のように、本プリンタでは、除去部材たる除去シート４ａを移動させる除去部材移動手段と、消去手段たる消去ヘッド５を移動させる消去移動手段とを別々に設けるのではなく、両方の機能を備えた兼用移動手段たる消去ヘッド移動装置６を１つだけ設けている。このことにより、移動手段の数を減らして、上述した特許文献１の画像記録装置よりも省スペース化を図っている。更に、除去シート４ａが除去対向部材に向けて押圧される除去処理位置と、消去ヘッド５が消去対向部材に向けて押圧される消色処理位置とを、搬送路Ｐ内の同一位置（除去兼消去ニップ）にしている。このため、対向部材についても、除去対向部材と消去対向部材との両方を設けるのではなく、除去シート４ａ及び消去ヘッド５に対向する除去兼消去対向部材たる除去兼消去加圧ローラ７を１つだけ設けて、更なる省スペース化を図っている。
【００２９】
本プリンタは、図２に示したように、消去ヘッド移動装置６の伸縮アームを縮めて消去ヘッド５を除去兼消去加圧ローラ７から離間させた退避位置にポジショニングした状態で、操作者からのプリント開始命令を待機している。また、サーマルヘッド移動装置１０の伸縮アームを縮めてサーマルヘッド９を記録加圧ローラ１１から離間させた退避位置にポジショニングした状態で、操作者からのプリント開始命令を待機している。
【００３０】
また、本プリンタは、操作者からの命令信号を受け付けて上述の制御部に送るためのテンキー等で構成された図示しない情報入力手段を備えている。そして、この情報入力手段によって受け付けた情報に基づいて、プリント動作モードを再生モードと、非再生モードとで切り替える。給紙カセット１に収容されているＲｗ紙５０が、可逆反応層（５０ｂ）に対する画像の記録も、透明保護層（５０ｃ）に対する加筆もなされていないものであれば、そのＲｗ紙５０に対する印の除去処理及び画像の消色処理は不要である。そこで、操作者は、このような場合には、情報入力手段への入力操作によってプリント動作モードを非再生モードに設定する。すると、本プリンタは、サーマルヘッド移動装置１０の伸縮アームを延ばしてサーマルヘッド９を記録加圧ローラ１１に当接させて記録ニップを形成する一方で、消去ヘッド５については退避位置に退避させたままの状態でプリント動作を行う。このような非再生モードのプリント動作により、除去処理及び消色処理が不要な場合に、消去ヘッド５及び除去シート４ａを除去兼消去加圧ローラ７に押圧させないで搬送駆動トルクを低減する。そして、このことにより、余計なエネルギー消費を抑えている。また、除去シート４ａとＲｗ紙５０との接触を回避して、除去シート４ａの無駄な消費を抑えている。更には、除去シート４ａを摺擦させることによる除去兼消去加圧ローラ７の摩耗も抑えている。
【００３１】
一方、給紙カセット１に収容されているＲｗ紙５０が、可逆反応層（５０ｂ）に対する画像記録が行われているか、あるいは透明保護層（５０ｃ）に対する加筆がなされているかの何れかの場合には、除去処理又は消色処理が必要になる。そこで、操作者は、このような場合には、情報入力手段への入力操作によってプリント動作モードを再生モードに設定する。すると、本プリンタは、消去ヘッド５を退避位置から押圧位置に移動させて、上述の除去兼消去ニップを形成した状態でプリント動作を行う。このような再生モードのプリント動作により、除去処理又は消色処理が必要な場合には、除去兼消去ニップにて、消去ヘッド５による加熱処理（消色処理）と、除去シート４ａの接触による除去処理とをＲｗ紙５０に施す。これにより、画像及び加筆による印の何れも消失させてＲｗ紙５０を初期状態に戻してから、それに画像を記録することができる。
【００３２】
図３は、再生モードのプリント動作において、駆動が開始された直後の消去ヘッド移動装置６と、その周囲とを示す拡大構成図である。同図において、本プリンタは、除去シート４の軸部材巻き付け部分の近傍で図示しない第１揺動装置によって揺動せしめられる第１揺動爪１４を有している。また、除去シート４の巻き取りローラ巻き取り部分の近傍で図示しない第２揺動装置によって揺動せしめられる第２揺動爪１５も有している。第１揺動装置や第２揺動装置は、上述の制御部によってその駆動が制御される。第１揺動装置の駆動によって第１揺動爪１４が揺動すると、その先端が除去シート４の軸部材巻き付け部分に接離する。そして、第１揺動爪１４の先端が除去シート４の軸部材巻き付け部分に接触すると、軸部材４ｂの回転がロックされる。また、第２揺動装置の駆動によって第２揺動爪１５が揺動すると、その先端が除去シート４の巻き取りローラ巻き取り部分に接離する。そして、第２揺動爪１５の先端が除去シート４の巻き取りローラ巻き取り部分に接触すると、巻き取りローラ４ｃの回転がロックされる。なお、本プリンタは、第１揺動爪１４及び第２揺動爪１５を何れもその先端が除去シート４ａに強く当接するロック位置に揺動せしめた状態で、操作者からのプリント開始命令を待機するようになっている。
【００３３】
かかる構成では、消去ヘッド移動装置６の駆動を制御する上述の制御部が、移動制御手段として機能している。また、第１揺動爪１４と上記第１揺動装置の組合せが、除去ユニット４の軸部材４ｂの回転をロックする回転ロック手段として機能している。また、第１揺動装置を駆動制御する上記制御部が、この回転ロック手段の駆動を制御する回転ロック制御手段として機能している。また、第２揺動爪１５と上記第２揺動装置の組合せが、除去ユニット４の巻き取り部材たる巻き取りローラ４ｃの回転をロックする回転ロック手段として機能している。また、第２揺動装置を駆動制御する上記制御部が、この回転ロック手段の駆動を制御する回転ロック制御手段として機能している。
【００３４】
図４は、本プリンタの電気回路の一部を示すプロック図である。図示しないＣＰＵやＲＡＭ等から構成される上述の制御部１００には、給紙検知手段２、搬送駆動モータ２０、給紙モータ２１、巻き取りモータ２２、第１揺動装置２３、第２揺動装置２４などが接続されている。また、消去ヘッド移動装置６、サーマルヘッド移動装置１０、サーマル駆動ドライバ２５、消去駆動ドライバ２６なども接続されている。
【００３５】
上記搬送駆動モータ２０は、図２に示した消去上流搬送ローラ対３、除去兼消去加圧ローラ７、記録上流搬送ローラ対８、記録加圧ローラ１１、排紙ローラ対１２などの駆動源として機能する。また、給紙モータ２１は、図２に示した給紙ローラ１ａの駆動源として機能する。また、巻き取りモータ２２は、図２に示した除去ユニット４の巻き取りローラ４ｃの駆動源として機能する。また、サーマル駆動ドライバ２５は、図２に示したサーマルヘッド９の駆動回路として機能する。また、消去駆動ドライバ２６は、図２に示した消去ヘッド５の駆動回路として機能する。
【００３６】
先に示した図３において、再生モードのプリント動作が開始されると、上記第１揺動装置（２３）の駆動によって第１揺動爪１４が揺動せしめられて、その先端が除去シート４ａの軸部材巻き付け部分から離間する。これにより、軸部材４ｂの回転ロックが解除される。このようの回転ロックが解除された状態で、消去ヘッド移動装置６の駆動によって消去ヘッド５が図中下方の動作位置に移動せしめられる。この際、除去シート４ａの張架部分の裏面に当接している消去ヘッド５が、その張架部分のテンションを高めて除去シート４ａを引っ張る。すると、回転可能に構成された軸部材４ｂと巻き取りローラ４ｃとのうち、回転ロックが解除されている軸部材４ｂだけが回転して、軸部材４ｂから除去シート４ａが送り出される。そして、除去シート４ａと消去ヘッド５との両方が除去兼消去加圧ローラ７に向けて押圧される。図示しない給紙カセットから送り出されたＲｗ紙５０は、この押圧によって形成された除去兼消去ニップに挟み込まれて、その画像の消色処理が施されるとともに、透明保護層（５０ｃ）に付着しているインク等の有色物質の除去処理が施される。このとき、図５に示すように、制御部（１００）は、第１揺動装置（２３）の駆動停止によって第１揺動爪１４をロック位置に戻して軸部材４ｂの回転をロックする。これにより、除去処理中における除去シート４ａのたるみを回避することができる。
【００３７】
Ｒｗ紙５０が除去兼消去ニップを通過するか、あるいは通過する直前になって、Ｒｗ紙５０に対する除去処理や消色処理が不要になると、制御部（１００）は、消去ヘッド移動装置６の逆駆動によって消去ヘッド５を除去兼消去加圧ローラ７から遠ざける。すると、それまで除去兼消去加圧ローラ７に向けて押圧されていた除去シート４ａが押圧から解放されて、たるんでくる。そこで、制御部（１００）は、図６に示すように、第２揺動装置（２４）の駆動によって揺動爪１５を揺動せしめると同時に、巻き取りモータ（２２）を所定時間だけ駆動させる。そして、これにより、除去シート４ａのたるみ部分を巻き取りローラ４ｃに巻き取らせる。すると、除去シート４ａの未使用部分が除去兼消去加圧ローラ７との対向位置に移動して、次の除去処理に利用される。
【００３８】
図７は、再生モードのプリント動作時に制御部（１００）によって実施される再生プリント動作制御の制御フローを示すフローチャートである。この制御がスタートすると、まず、搬送駆動モータ（２０）の駆動が開始された後（ステップ１：以下、ステップをＳと記す）、給紙モータ（２１）の駆動が開始される（Ｓ２）。これにより、給紙カセット（１）から搬送路に向けてＲｗ紙（５０）が送り出される。次に、給紙検知手段（２）からの検知信号の受信が待機され（Ｓ３でＮ）、検知信号が受信されると（Ｓ３でＹ）、第１計時処理がスタートする（Ｓ４）。そして、第１計時処理によるカウント値Ｃ１が「Ｌ１／Ｖ」に達すると（Ｓ５でＹ）、第１揺動装置（２３）及び消去ヘッド移動装置（６）の駆動が開始されて（Ｓ６）、上述の除去兼消去ニップが形成される。ここで、Ｌ１とは、先に図２に示したように、搬送路Ｐ内における給紙検知手段２による紙検知位置から除去兼消去ニップの入口に至るまでの距離である。また、Ｖとは、搬送路Ｐ内におけるＲｗ紙５０の搬送速度である。よって、カウント値Ｃ１が「Ｌ１／Ｖ」になると、Ｒｗ紙５０が消去ヘッド５０の直下に進入し始めることになる。本プリンタは、このように、Ｒｗ紙５０が消去ヘッド５の直下に進入し始める直前まで、消去ヘッド５や除去シート４ａを除去兼消去加圧ローラ７に向けて押圧しないで退避させておく。
【００３９】
消去ヘッド移動装置（６）の駆動によって除去兼消去ニップが形成されると、直ちに第１揺動装置（２３）の駆動が停止されて（Ｓ７）、除去ユニットの駆動軸（４ｂ）の回転がロックされる。そして、カウント値Ｃ１が「Ｌ２／Ｖ」に到達すると（Ｓ８でＹ）、サーマルヘッド移動装置（１０）の駆動によって（Ｓ９）サーマルヘッド（９）が記録加圧ローラ１１に向けて押圧されて、上述の記録ニップが形成される。ここで、Ｌ２とは、先に図２に示したように、搬送路Ｐ内における給紙検知手段２による紙検知位置から記録ニップの入口に至るまでの距離である。よって、カウント値Ｃ１が「Ｌ２／Ｖ」になると、Ｒｗ紙５０がサーマルヘッド９の直下に進入し始めることになる。本プリンタは、このように、Ｒｗ紙５０がサーマルヘッド９の直下に進入し始める直前まで、サーマルヘッド９を記録加圧ローラ１１に向けて押圧しないで退避させておく。
【００４０】
サーマルヘッド移動装置（１０）の駆動によって記録ニップが形成された後、給紙検知手段（２）からの検知信号が受信されなくなると（Ｓ１０でＮ）、第２計時処理がスタートする（Ｓ１１）。そして、第２計時処理によるカウント値Ｃ２が「Ｌ１／Ｖ」に到達すると（Ｓ１２でＹ）、即ち、Ｒｗ紙の後端が除去兼消去ニップに進入し始めると、消去ヘッド移動装置（６）の逆駆動が開始される（Ｓ１３）。これにより、消去ヘッド（５）及び除去シート（４ａ）が押圧されなくなる。その後、直ちに第２揺動装置（２４）及び巻き取りモータ（２２）の駆動が所定時間だけ行われて（Ｓ１４）、除去シート（４ａ）のたるみが巻き取られる。そして、カウント値Ｃ２が「Ｌ１／Ｖ」に到達すると（Ｓ１５でＹ）、即ち、Ｒｗ紙の後端が記録ニップに進入し始めると、サーマルヘッド移動装置（１０）の逆駆動が開始されて（Ｓ１６）、サーマルヘッド（９）が退避位置に移動する。次に、カウント値Ｃ２が図２に示したＬ０を搬送速度Ｖで除算した値に到達すると（ｓ１７でＹ）、即ち、Ｒｗ紙５０が排紙されると、搬送駆動モータ（２０）の駆動が停止されて（Ｓ１８）、プリント動作が終了する。
【００４１】
以上のように、本プリンタは、紙検知手段（２）の検知信号に基づいて消去ヘッド移動装置（６）の駆動を制御することで、再生プリントモードにおいても、必要なときだけ除去シート（４ａ）及び消去ヘッド（５）を押圧する。この必要なときとは、Ｒｗ紙（５０）が消去ヘッド（５）の直下を通過するときである。このような押圧により、再生プリントモードにおいても搬送駆動トルクを低減するとともに、除去シート（４ａ）の無駄な消耗や、除去兼消去加圧ローラ（７）の摩耗を低減している。
【００４２】
また、紙検知手段（２）の検知信号に基づいてサーマルヘッド移動装置（１０）の駆動を制御することで、再生プリントモードにおいて、必要なときだけサーマルヘッド（９）を押圧している。この「必要なとき」とは、Ｒｗ紙（５０）がサーマルヘッド（９）の直下を通過するときである。このような押圧により、再生プリントモードにおける搬送駆動トルクを更に低減することができる。
【００４３】
なお、巻き取りローラ４ｃに駆動力を伝達する駆動伝達系のギヤ比が、Ｒｗ紙（５０）に摺擦する除去シート４ａを介して、励磁されていない巻き取りモータ２２を回転させてしまわない程度に高い場合には、第２揺動爪１５を省略することができる。更に、第２揺動装置２４も省略することができる。これらを設けなくても、巻き取りモータ２２を励磁していないときにおける巻き取りローラ４cの空転を回避することができるからである。
【００４４】
次に、実施形態に係るプリンタの第１変形例装置について説明する。
先に示した図２において、この第１変形例装置は、再生プリントモードにて、除去兼消去ニップに向けて押圧した除去シート４ａを不動の状態で除去処理や消色処理を行うのではなく、少しずつ巻き取りローラ４ｃに巻き取っていく。この巻き取りを実現するために、除去兼消去ニップを形成した状態で、第２揺動機構（２４）を駆動するとともに、巻き取りモータ（２２）を低回転駆動する。かかる構成では、巻き取りによって除去兼消去ニップに新たな除去シート４ａ部分を送り込みながら、それによって有色物質を除去することで、除去シート４ａをＲｗ紙５０に不動の状態で摺擦させる場合に比べて除去性能を向上させることができる。
【００４５】
次に、実施形態に係るプリンタの第２変形例装置について説明する。
図８は、本第２変形例装置の一部構成を拡大して示す拡大構成図である。実施形態に係るプリンタのように、除去シート４ａをその裏面に押し当てた消去ヘッド５とともに除去兼加圧ローラに押圧する構成にはなっていない。消去ヘッド５の図中左側には、図中奥行き方向に延在するゴム等の弾性部材３０が配設されており、これは図中奥行き方向の両端面に固定された支持部材が、消去ヘッド５の図中左側面に固定されることによって、消去ヘッド５に支持されている。除去シート４ａは、軸部材４ｂからの引き出し部分がこの固定部材たる弾性部材３０に巻き掛けられた後に、巻き取りローラ４ｃによる巻き取り部に至るように張架されている。弾性部材３０に対する除去シート巻き掛け部分の底面レベルは、消去ヘッド５の底面レベルよりも若干下方になっている。
【００４６】
かかる構成においても、消去ヘッド移動装置６の駆動によって消去ヘッド５が除去兼消去加圧ローラ７に対して近づいたり遠ざかったりするように移動するのに伴って、除去シート４ａも同様に移動する。よって、消去ヘッド移動装置６が、除去シート４ａと消去ヘッド５との両方を移動させる兼用移動手段として機能している。また、実施形態に係るプリンタとは異なり、除去兼消去ニップを形成するのではなく、消去ヘッド５が除去兼消去加圧ローラ７に向けて押圧される消去ニップとは別に、除去シート４ａが除去兼消去加圧ローラ７に向けて押圧される除去ニップを形成している。かかる構成では、弾性部材３０として、消色処理のためにどうしても平面積を比較的大きくせざるを得ない消去ヘッドよりも平面積の小さなものを用いることで、除去ニップを消去ニップよりも小さくすることが可能になる。そして、除去シート４ａとＲｗ紙５０との接触面積の低下によって掻き取り効果を向上させて、有色物質の除去性能をより高めることができる。更に、固定部材として弾性材料からなる弾性部材３０を用いることで、除去シート４ａとＲｗ紙５０との密着性を高めて、有色物質の除去性能を更に高めることができる。
【００４７】
以上、実施形態に係るプリンタや各変形例装置においては、搬送路Ｐ内にて除去処理及び消色処理が施される前のＲｗ紙５０を検知する記録体検知手段たる給紙検知手段２を設けている。そして、これによる検知結果に基づいて、除去シート４ａ及び消去ヘッド５を移動させる兼用移動手段たる消去ヘッド移動装置６の駆動を制御させるように、移動制御手段たる制御部１００を構成している。かかる構成では、上述したように、除去処理や消色処理が必要な再生モードにおいて、消去ヘッド５及び除去シート４ａを必要なときだけ除去兼消去加圧ローラ７に向けて押圧することが可能になる。そして、このことにより、再生モードにおいても、搬送駆動トルクを低減するとともに、除去シート４ａの無駄な消耗や、除去兼消去加圧ローラ７の無駄な摩耗を確実に回避することができる。
【００４８】
また、実施形態に係るプリンタや第１変形例装置においては、除去部材として、シート状に形成された除去シート４ａを用いている。そして、除去シート４ａの裏面に押し当てた消去ヘッド５を移動させることで、除去シート４ａを消去ヘッド５とともに移動させている。かかる構成では、消去ヘッド５をＲｗ紙５０に直接接触させることなく、消去処理を実施して、Ｒｗ紙５０に付着している有色物質や異物を消去ヘッドに転移させることによる消去能力の低下を回避することができる。
【００４９】
また、第２変形例装置においては、除去部材として除去シート４ａを用いるとともに、消去ヘッド５に固定した固定部材たる弾性部材３０を除去シート４ａの裏面に押し当てている。そして、側面に固定されている弾性部材３０が除去シート４ａの裏面に当接している消去ヘッド５を移動させることで、除去シート４ａを消去ヘッド５とともに移動させている。かかる構成では、上述した理由により、除去シート４ａとＲｗ紙５０との接触面積の低下によって掻き取り効果を向上させて、実施形態に係るプリンタや第１変形例装置よりも、有色物質の除去性能をより高めることができる。
【００５０】
また、実施形態に係るプリンタにおいては、除去部材として、回転自在に支持される軸部材４ｂにロール状に巻き付けられた除去シート４ａを用いている。そして、軸部材４ｂの回転をロックする回転ロック手段と、これの駆動を制御する回転ロック制御手段たる制御部１００と、除去シート４ａを巻き取るための巻き取り部材たる巻き取りローラ４ｃと、これを回転駆動する巻き取り駆動手段たる巻き取りモータ２２とを設けている。また、上記移動手段による除去シート４ａ及び消去ヘッド５の移動に伴って必要になる軸部材４ｂの回転ロックの解除、及び巻き取りモータ２２の駆動による巻き取りに伴って必要になる回転ロックの解除の他は、軸部材４ｂの回転をロックする制御を実施させるように、制御部１００を構成している。かかる構成では、不必要なときに軸部材４ｂを回転させてしまうことによる除去シート４ａのたるみを回避することができる。
【００５１】
また、第１変形例装置においては、除去部材として、回転自在に支持される軸部材４ｂにロール状に巻き付けられた除去シート４ａを用いている。そして、除去シート４ａを巻き取るための巻き取り部材たる巻き取りローラ４ｃと、これを回転駆動する巻き取り駆動手段たる巻き取りモータ２２と、これの駆動を制御する巻き取り制御手段たる制御部１００とを設けている。また、除去シート４ａとＲｗ紙５０とが接触しているときに、巻き取りモータ２２を回転駆動させる制御を実施させるように、制御部１００を構成している。かかる構成では、巻き取りによって除去兼消去ニップに新たな除去シート４ａ部分を送り込みながら、それによって有色物質を除去することで、除去シート４ａをＲｗ紙５０に不動の状態で摺擦させる場合に比べて除去性能を向上させることができる。
【図面の簡単な説明】
【００５２】
【図１】Ｒｗ紙を示す拡大断面図。
【図２】実施形態に係るプリンタを示す概略構成図。
【図３】再生モードのプリント動作において、駆動が開始された直後の消去ヘッド移動装置と、その周囲とを示す拡大構成図。
【図４】同プリンタの電気回路の一部を示すプロック図。
【図５】再生モードのプリント動作において、除去処理及び消去処理中の除去兼消去ニップとその周囲とを示す拡大構成図。
【図６】再生モードのプリント動作において、除去処理及び消去処理が不要になった直後の除去兼消去ニップとその周囲とを示す拡大構成図。
【図７】再生モードのプリント動作時に制御部によって実施される再生プリント動作制御の制御フローを示すフローチャート。
【図８】第２変形例装置の一部構成を拡大して示す拡大構成図。
【符号の説明】
【００５３】
１                給紙カセット
２                給紙検知手段（記録体検知手段）
３                消去上流搬送ローラ対
４                除去ユニット
４ａ              除去シート（除去部材）
５                消去ヘッド（消去手段）
６                消去ヘッド移動装置（兼用移動手段）
７                除去兼消去加圧ローラ
８                記録上流搬送ローラ対
９                サーマルヘッド移動装置
１０              サーマルヘッド（記録手段）
１１              記録加圧ローラ
１２              排紙ローラ対
【図１】
2005059483.tif 000003
【図２】
2005059483.tif 000004
【図３】
2005059483.tif 000005
【図４】
2005059483.tif 000006
【図５】
2005059483.tif 000007
【図６】
2005059483.tif 000008
【図７】
2005059483.tif 000009
【図８】
2005059483.tif 000010